(57)【特許請求の範囲】
【請求項１】
下部に支持部材取付部が形成された本体と、ルーバーと係止するルーバー係止具と、ダッシュボードと当接する支持部材とを備え、前記支持部材は前記支持部材取付部を軸として前記本体に回動自在かつ、固定可能に取り付けられていることを特徴とするドリンクホルダ。
【発明の詳細な説明】
【０００１】
【発明の属する技術分野】
本発明は自動車のエアコン吹き出し口に取り付けて飲み物の入ったカップや缶等を保持するためのドリンクホルダに関するものである。
【０００２】
【従来の技術】
従来より自動車の中で飲料が入ったカップや缶等を手の届く位置に保持し、カップ等の転倒を防止するドリンクホルダが広く用いられている。
【０００３】
このようなドリンクホルダの取り付け方法には種々のものがあるが、近年ではエアコンから吹き出される冷風や温風をドリンクホルダに保持されたカップ等に当てて、夏場は冷房の冷風により冷たい飲料の温度が上がるのを防止し、冬場は暖房の温風により温かい飲料の温度が低下するのを防止させる効果を期待して、エアコン吹き出し口のルーバーにドリンクホルダを取り付けることが多い。
【０００４】
ところで、最近では５００ｃｃのペットボトル等の重量の大きい飲料容器が普及し、これらの容器を保持可能なドリンクホルダが望まれている。しかしながら、ルーバーに取り付けたドリンクホルダに重量の大きい飲料容器を保持させると重量に負けてルーバーの角度が変わり（手前が下を向くようになる）、それに伴いドリンクホルダの取り付け角度も変わって使いにくくなる。又、ルーバーを破損してしまうおそれもある。
【０００５】
そこで、保持した飲料の重量が全てドリンクホルダのルーバー取付部にかかってしまわないように、ドリンクホルダのルーバーへの取付部以外の箇所をダッシュボードに接触させて重量を支えることが考えられるが、ダッシュボードの形状は車種により異なる。
【０００６】
したがって図４に示すように、ダッシュボード(B)に接触させるための支持部材(11)をドリンクホルダ(10)の底部に設け、水平にスライド可能としたドリンクホルダが知られている。これによれば、ダッシュボード(B)の形状が異なっても支持部材(11)のスライド量を調整することにより支持部材(11)とダッシュボード(B)を当接させることができる。
【０００７】
飲料容器(A)に効率的にエアコンからの冷風又は温風を当てるためには、エアコン吹き出し口の比較的上に位置するルーバー(C)にルーバー係止具(12)を係止して取り付けることが望ましいが、そうすると図５に示すようにドリンクホルダ(10)底部の支持部材(11)の位置がエアコン吹き出し口の下端より上になってしまうことがある。
【０００８】
このような場合は支持部材(11)がルーバー(C)間に位置してしまい、たとえ支持部材(11)をダッシュボード(B)側にスライドさせても支持部材(11)をダッシュボード(B)に当接させることができず、ドリンクホルダ(10)が安定しない。又、ルーバー(C)を破損させるおそれもある。特にエアコン吹き出し口の上下幅の大きい車種や、上下幅の小さいドリンクホルダではそのような問題が生じやすい。
【０００９】
【発明が解決しようとする課題】
そこで、エアコン吹き出し口の比較的上に位置するルーバーに取り付けたときでも、安定して取り付けることのできるドリンクホルダが求められている。
【００１０】
【課題を解決するための手段】
本発明のドリンクホルダは、下部に支持部材取付部(3)が形成された本体(1)と、ルーバー(C)と係止するルーバー係止具(4)と、ダッシュボードと当接する支持部材(2)とを備え、支持部材(2)は支持部材取付部(3)を軸として本体(1)に回動自在かつ、固定可能に取り付けられていることを特徴とする。
【００１１】
これによれば、支持部材が本体(1)下部に設けられた支持部材取付部を軸として回転するので、支持部材の下端が本体の下端より大きく下方に移動する。そのため、ドリンクホルダを比較的上方のルーバーに取り付けた場合でも、支持部材をダッシュボードのエアコン吹き出し口の下方に当接させることができ、ドリンクホルダの取り付けが安定し、ルーバーに過度の重量がかかることもなくなる。
【００１２】
【発明の実施の形態】
以下、本発明を好適な実施例を用いて説明する。
［実施例１］
図１は本実施例のダッシュボードに取り付けられたドリンクホルダの側面図である。
【００１３】
(1)はドリンクホルダの本体である。(2)は支持部材であり、略「コの字型」の形状を有している。(3)は本体(1)の下部に設けられている支持部材取付部(3)であり、支持部材(2)は「コの字型」の両端が支持部材取付部(3)に取り付けられている。
【００１４】
支持部材取付部(3)の支持部材(2)と当接する面には放射線状の係止溝が設けられており、支持部材(2)の支持部材取付部(3)と当接する面には前記の係止溝と噛み合う歯部が設けられている。
【００１５】
ネジ(5)を緩めると支持部材取付部(3)の係止溝と、支持部材(2)の歯部とが離れて噛み合わないようになる。すると、支持部材(2)は本体(1)に対して支持部材(2)が回転することができる。
【００１６】
ダッシュボード(B)と当接する角度に合わせてからネジ(5)を締め付けることにより、支持部材(2)を所定の角度に（回転しないように）固定することができる。
【００１７】
取り付けに際しては、ネジ(5)が緩んだ状態でルーバー(C)にルーバー係止具(4)を取り付ける。そして、支持部材(2)をダッシュボード(B)に当接する位置まで回転させてからネジ(5)を締め付けて支持部材(2)の取り付け角度を固定する。
【００１８】
支持部材(2)の先端部(2a)は本体(1)よりも下方に位置することになるので、吹き出し口の上下幅が大きい場合に上方のルーバー(C)に取り付けたとしても、支持部材(2)の先端部(2a)はダッシュボード(B)の吹き出し口より下の部分に当接して本体(1)を支持することができる。これによりドリンクホルダの取り付けが安定し、ルーバー(C)に過度の重量がかかることもなくなる。
【００１９】
［実施例２］
図２は本実施例の側面図であり、図３は平面図である。本実施例では本体(7)がドリンク保持部(7a)と基部(7b)からなり、ボタン(7c)を押すことによりドリンク保持部(7a)が取付軸を回転軸として基部(7b)対して水平方向に回転させることができる。
【００２０】
本実施例では支持部材取付部(8)は本体(7)の基部(7b)下端部に設けられており、支持部材(6)はその支持部材取付部(8)にネジ(5)で固定されている。ネジ(5)を緩めることにより支持部材(6)を支持部材取付部(8)を回転軸として回転させることができる点、そして支持部材(6)の先端部(6a)が本体(7)底部より下方に当接することができる点は実施例１と同様である。
【００２１】
支持部材取付部(8)は基部(7b)に設けられているので、ドリンク保持部(7a)を回転させても支持部材(6)はダッシュボードに当接した状態に維持される。
【００２２】
尚、上記の各実施例では略「コの字型」の支持部材(2)，(6)を用いたが、他の形状、例えば略「Ｌ字型」等にしてもよい。
【００２３】
【発明の効果】
以上述べたように本発明によりエアコン吹き出し口の比較的上に位置するルーバーに取り付けたときでも、安定して取り付けることのできるドリンクホルダを提供することができた。
【図面の簡単な説明】
【図１】ダッシュボードに取り付けられた実施例１のドリンクホルダの側面図。
【図２】実施例２のドリンクホルダの側面図。
【図３】実施例２のドリンクホルダの平面図。
【図４】従来のドリンクホルダを示した側面図（中央ルーバー取付時）。
【図５】従来のドリンクホルダを示した側面図（上方ルーバー取付時）。
【符号の説明】
(1)    本体
(2)    支持部材
(3)    支持部材取付部
(4)    ルーバー係止具
(5)    ネジ
(A)    飲料容器
(B)    ダッシュボード
(C)    ルーバー
【図１】
0003732933.tif 000002
【図２】
0003732933.tif 000003
【図３】
0003732933.tif 000004
【図４】
0003732933.tif 000005
【図５】
0003732933.tif 000006